【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
Ｉ／Ｏ指示を送信するホストコンピュータと接続される第一のインタフェースと、
管理指示を送信するコンソールと接続される第二のインタフェースと、
前記第一のインタフェース、前記第二のインタフェース及び複数のストレージ装置と接続され、前記ホストコンピュータからの前記Ｉ／Ｏ指示及び前記コンソールからの前記管理指示を行うストレージコントローラと、
前記第一のインタフェースを介して前記ホストコンピュータからの前記Ｉ／Ｏ指示により書き込み可能なデータを保存するための、前記複数のストレージ装置のうちの少なくとも１台のストレージ装置により構成され、前記管理指示に応じて前記ストレージコントローラにより属性が管理されるデータ保存領域と、
前記データ保存領域を対象とする複数の前記受信された管理指示の記述に関連するログ情報を保存するための、前記複数のストレージ装置のうちの少なくとも１台のストレージ装置により構成され、該データ保存領域と異なるログ保存領域と
を備え、
前記管理指示は、前記データ保存領域の属性を管理するためのものであり、
前記ストレージコントローラは、前記ログ保存領域のデータ保存領域を対象とする前記受信された管理指示の前記ログ情報を記録し、前記第一のインタフェースを介して該ログ保存領域への書き込みアクセスを前記ホストコンピュータに対して制限する
ことを特徴とするストレージシステム。
【請求項２】
前記複数のストレージ装置は、ハードディスクドライブであり、
前記ストレージシステムは、少なくとも１０台のハードディスクドライブを備えるディスクアレイ装置である
ことを特徴とする請求項１に記載のストレージシステム。
【請求項３】
前記データ保存領域は、前記複数のストレージ装置のうちの少なくとも１台のストレージ装置で定義される複数のストレージボリュームのうちの少なくとも１つのストレージボリュームにより構成され、
前記ストレージコントローラは、前記複数のストレージボリュームのうちの前記少なくとも１つのストレージボリュームにライトプロテクトが設定されている場合、該複数のストレージボリュームのうちの該少なくとも１つのストレージボリュームを対象とする前記受信された管理指示のログ情報を記録する
ことを特徴とする請求項１に記載のストレージシステム。
【請求項４】
前記ストレージコントローラは、前記Ｉ／Ｏ指示のログ情報を記録する
ことを特徴とする請求項１に記載のストレージシステム。
【請求項５】
前記管理指示の前記ログ情報は、前記Ｉ／Ｏ指示の前記ログ情報とは別に保存される
ことを特徴とする請求項４に記載のストレージシステム。
【請求項６】
前記受信された管理指示の前記ログ情報は、前記データ保存領域の属性を変更するコマンドを有する
ことを特徴とする請求項１に記載のストレージシステム。
【請求項７】
前記データ保存領域は、前記複数のストレージ装置のうちの少なくとも１台のストレージ装置で定義される複数のストレージボリュームのうちの少なくとも１つのストレージボリュームにより構成され、
前記受信された管理指示の前記ログ情報は、前記ストレージボリュームの各々と関連して保存される
ことを特徴とする請求項１に記載のストレージシステム。
【請求項８】
前記複数のストレージ装置のうちの１台のストレージ装置は、前記ログ保存領域及び前記データ保存領域を備える
ことを特徴とする請求項１に記載のストレージシステム。
【請求項９】
前記データ保存領域を対象とする前記管理指示は、該データ保存領域の属性の変更を有する
ことを特徴とする請求項１に記載のストレージシステム。
【請求項１０】
前記データ保存領域の前記属性は、該データ保存領域への書き込みアクセスを前記ホストコンピュータに対して制限するライトプロテクト属性を有する
ことを特徴とする請求項９に記載のストレージシステム。
【請求項１１】
複数のＩ／Ｏ指示を送信するホストコンピュータと接続される第一のインタフェースと、
複数の管理指示を送信するコンソールと接続される第二のインタフェースと、
前記第一のインタフェースを介して前記ホストコンピュータからの前記Ｉ／Ｏ指示により書き込み可能なデータを保存するためのデータ保存領域及び前記第二のインタフェースを介して前記コンソールから受信した前記管理指示に関連するログ情報を保存するための、該データ保存領域と異なるログ保存領域とを有する複数のストレージ装置と、
前記第一のインタフェース、前記第二のインタフェース及び前記複数のストレージ装置と接続され、前記ホストコンピュータから受信した前記Ｉ／Ｏ指示及びメモリに保存された前記データ保存領域の属性情報に応じて、Ｉ／Ｏオペレーションを行うストレージコントローラと
を備え、
前記ストレージコントローラは、さらにボリューム管理オペレーションを行って前記コンソールから受信した前記管理指示に応じて前記メモリの前記データ保存領域の前記属性情報を変更し、また前記ログ保存領域の該受信された管理指示に関連し、かつ該受信された管理指示に応じた該ボリューム管理オペレーションの記述を有する前記ログ情報を記録する
ことを特徴とするストレージシステム。
【請求項１２】
前記属性情報は、前記データ保存領域をライトプロテクト、オフライン及び通常のうちの少なくとも１つに特定する
ことを特徴とする請求項１１に記載のストレージシステム。
【請求項１３】
前記メモリは、不揮発ランダムアクセスメモリである
ことを特徴とする請求項１１に記載のストレージシステム。
【請求項１４】
前記データ保存領域は、前記複数のストレージ装置のうちの少なくとも１台のストレージ装置で定義される複数のストレージボリュームのうちの少なくとも１つのストレージボリュームにより構成され、
前記ストレージコントローラは、前記複数のストレージボリュームのうちの前記少なくとも１つのストレージボリュームにライトプロテクトが設定されている場合、該複数のストレージボリュームのうちの該少なくとも１つのストレージボリュームを対象とする前記受信された管理指示に関連するログ情報を記録する
ことを特徴とする請求項１１に記載のストレージシステム。
【請求項１５】
前記ストレージコントローラは、前記Ｉ／Ｏ指示に関連するログ情報を記録する
ことを特徴とする請求項１１に記載のストレージシステム。
【請求項１６】
前記受信された管理指示に関連する前記ログ情報は、前記Ｉ／Ｏ指示に関連する前記ログ情報とは別に保存される
ことを特徴とする請求項１５に記載のストレージシステム。
【請求項１７】
前記データ保存領域は、前記複数のストレージ装置のうちの少なくとも１台のストレージ装置で定義される複数のストレージボリュームのうちの少なくとも１つのストレージボリュームにより構成され、
前記受信された管理指示に関連する前記ログ情報は、前記ストレージボリュームの各々と関連して保存される
ことを特徴とする請求項１１に記載のストレージシステム。
【請求項１８】
前記複数のストレージ装置のうちの１台のストレージ装置は、前記ログ保存領域及び前記データ保存領域を備える
ことを特徴とする請求項１１に記載のストレージシステム。
【請求項１９】
前記データ保存領域の前記属性情報は、該データ保存領域への書き込みアクセスを前記ホストコンピュータに対して制限するライトプロテクト属性を有する
ことを特徴とする請求項１１に記載のストレージシステム。